(57)【特許請求の範囲】
【請求項１】
ヘッドの下部に散水部材を装着し、該散水部材の底部周面に穿設した多数の散水孔からシャワー水を吐出するシャワーヘッドにおいて、前記散水部材の内部には各散水孔に入り込む突起を形成したプレートを収容し、該プレートは散水部材とヘッドに螺着した分岐筒の間でスプリングにより散水孔に向けて上下移動自在に装着し、下方に突出して形成したつまみの操作で上下に移動させることで、突起を散水孔に対し出入り自在とし、散水孔からのシャワー水吐出時はスプリングの付勢力により突起を散水孔に入り込ませ、突起の周面と散水孔の周縁部の間で形成されたリング状の流水路からシャワー水を吐出することを特徴とするシャワーヘッド。
【発明の詳細な説明】
【０００１】
【発明の属する技術分野】
本発明は、水栓の吐水管又はシャワーホースの先端に取り付けて、吐出された流体が勢いよく物品に当たった場合の水はねを少なくしたシャワーヘッドに関する。
【０００２】
【従来の技術】
従来、散水板から吐出される流体を水はねの少ないものにして、キッチンでの食器洗浄等の際に便利なようにしたシャワーヘッドとして公知のものに実公平８−４１２０号公報のものがある。しかしこのシャワーヘッドは散水板に穿設した多数の小孔を水はねが少なくなるように極めて細い孔径にしているので、流体に含まれている異物が小孔に詰まりやすく、この異物によりシャワー水の吐水方向が不均一になり、その都度散水板をシャワーヘッドから取り外して頻繁に掃除をしなければならなかった。
【０００３】
【発明が解決しようとする課題】
本発明が解決しようとする課題は、散水板の散水孔から吐出される流体は水はねが少なく、しかも異物の目詰まりを簡単に解消できるシャワーヘッドを提供することである。
【０００４】
【課題を解決するための手段】
本発明は請求項１では、ヘッドの下部に散水部材を装着し、該散水部材の底部周面に穿設した多数の散水孔からシャワー水を吐出するシャワーヘッドにおいて、前記散水部材の内部には各散水孔に入り込む突起を形成したプレートを収容し、該プレートは散水部材とヘッドに螺着した分岐筒の間でスプリングにより散水孔に向けて上下移動自在に装着し、下方に突出して形成したつまみの操作で上下に移動させることで、突起を散水孔に対し出入り自在とし、散水孔からのシャワー水吐出時はスプリングの付勢力により突起を散水孔に入り込ませ、突起の周面と散水孔の周縁部の間で形成されたリング状の流水路からシャワー水を吐出するものである。
【０００５】
【発明の実施の形態】
以下、本発明の実施の形態を図に基づいて詳細に説明する。この実施例は、図１及び図２に示すようにヘッド１は一端に水栓類（図示省略）の吐水管２の先端に嵌挿してビス３により結合する連結部４及び該連結部４の内部に設けられた横長の流路５を備え、該流路５の先端下部には仕切壁６に穿設し、整流器９を介在させた導水孔７を介して前記流路５とほぼ直角に連通する切替室８を形成している。
【０００６】
前記切替室８周面の雌ねじ部１０に螺着する分岐筒１１は、中心部に前記導水孔７の直下に開口する円筒状の直流吐水部１２を備え、該直流吐水部１２の周囲に散水路１４を形成し、前記直流吐水部１２の弁口１３を開閉することで流路を弁口１３又は散水路１４側に切替える弁体１５を平行方向へ移動自在に臨ませ、下部外周面には雄ねじ部１６を刻設している。
【０００７】
シーソー式のボタン１７は前記ヘッド１の側面に形成した開口部１８に一部が外部へ露出するように介在させ、軸体１９により前記弁体１４と連結し、このボタン１７の突出している部分を押すことで弁体１５が平行方向へ移動し、前記直流吐水部１２の弁口１３を開閉するように連繋している。
【０００８】
散水部材２０は中空の円筒形で、図３に示すように底部に形成したフランジ部２１の内側に散水孔２２をリング状に等間隔で多数穿設することにより流体が散水孔２２から吐出されるように構成し、図１に示すように中央に前記直流吐水部１２の弁口１３に連通する中心孔２５を開口し、この散水部材２０は上部内周面に刻設した雌ねじ部２７を前記分岐筒１１の雄ねじ部１６に螺着してヘッド１に着脱自在に装着している。
【０００９】
プレート２８は略円盤形で、パッキン２９を介して散水部材２０のフランジ部２１及び中心孔２５上面の環状座２６に着座し、前記分岐筒１１との間に介装したスプリング３４により下方へ付勢されており、中心よりやや外周には分岐筒１１の弁口１３と連通する大径孔３０を穿設し、該大径孔３０の周囲には前記散水路１４と上下に連通する小孔３１をリング状に多数個穿設し、下方には前記散水部材２０の各散水孔２２に向けて入り込む多数の突起３２を突き出しており、この場合流体の流路は図４に示すように突起３２の周面と散水孔２２の周縁部２３の間にリング状の流水路２４として形成されるものである。
【００１０】
また、プレート２８は散水部材２０のフランジ部２１及び環状座２６と分岐筒１１の直流吐水部１２下端面の間でスプリング３４の付勢力に抗して上下移動自在に介在されており、通常は図１のようにフランジ部２１及び環状座２６に着座し、プレート２８の中心から下方へ突出したつまみ３３を散水部材２０の下側から押圧すれば、図２に示すようにスプリング３４の付勢力に抗してプレート２８は上昇し、突起３２を散水部材２０の散水孔２２から離れた状態にすることができる。
【００１１】
なお、前記プレートは散水部材と分岐筒の間で隙間なく挟着して固定した場合は、散水部材を分岐筒から取り外す場合のように緩める方向に回転してプレートを上下に移動できるようにして、次につまみを散水部材の下側から押圧することで、プレートを上昇させてもよい。
【００１２】
上記構成において、図１ではヘッド１の弁体１５は直流吐水部１２の弁口１３を閉塞したところに位置している。この際切替室８の流体は分岐筒１１の散水路１４から落下し、プレート２８の小孔３１を経て突起３２の周面と散水部材２０の散水孔２２の周縁部２３の間に形成されるリング状の流水路２４から外部へ吐出される。このように散水部材２０に多数穿設した散水孔２２から吐出される流体は、小径の薄いリング状であるので細かい霧状になり、流体がヘッド１の下部で食器等の高い圧力で勢いよく当たっても水はねを少なくすることができる。
【００１３】
次にヘッド１から突出している側のボタン１７を押し、弁体１５を水平方向へ移動させて切替室８と直流吐水部１２の弁口１３を連通した状態にすると、流体は導水孔７から垂直方向に落下しプレート２８の大径孔３０を経て散水部材２０の中心孔２５から直流として勢いよく外部へ吐出することができる。
【００１４】
なお、散水部材２０の各散水孔２２からの吐水方向が不均一になった場合は、散水孔２２が目詰まりしていることが考えられるので、通水中に散水部材２０の下部からつまみ３３を数回押せば、散水孔２２の周囲に付着した異物を取り除き、洗い流すことができる。
【００１５】
上述した実施例のシャワーヘッドはボタンの操作でシャワー水と直流水に流体の流路を切替可能にしているが、切替機能を備えていないシャワーヘッドの散水部材からシャワー水のみを吐出するようにしてもよい。
【００１６】
【発明の効果】
本発明のシャワーヘッドは、散水部材の内部には各散水孔に入り込む突起を形成したプレートを収容し、該プレートは散水部材とヘッドに螺着した分岐筒の間でスプリングにより散水孔に向けて上下移動自在に装着し、下方に突出して形成したつまみの操作で上下に移動させることで、突起を散水孔に対し出入り自在とし、散水孔からのシャワー水吐出時はスプリングの付勢力により突起を散水孔に入り込ませ、突起の周面と散水孔の周縁部の間で形成されたリング状の流水路からシャワー水を吐出するので、散水孔からは薄くてリング状の流体を霧状に吐出することができ、シャワー水が物品に当たった場合の水はねが少なく、食器洗浄等の際に使い勝手が良好で作業性を向上させることができる。
【００１７】
また、プレートは散水部材とヘッドに螺着した分岐筒の間で上下移動自在に装着し、下方に突出して形成したつまみの操作で上下に移動させることで、突起を散水孔に対し出入り自在にしたので、散水部材の散水孔が異物で目詰まりした場合は通水中に散水部材の下部からプレートのつまみを押せば異物を取り除くことができ、従来のように頻繁に散水部材をヘッドから取り外して掃除する必要がない。
【図面の簡単な説明】
【図１】  シャワーヘッドの側面図である。
【図２】  図１のシャワーヘッドのプレートを押し上げた状態の側断面図である。
【図３】  シャワーヘッドの底面図である。
【図４】  散水部材及びプレートの要部拡大図である。
【符号の説明】
１      ヘッド
１１    分岐筒
２０    散水部材
２２    散水孔
２３    周縁部
２４    流水路
２８    プレート
３２    突起
３３    つまみ
【図１】
0004226112.tif 000002
【図２】
0004226112.tif 000003
【図３】
0004226112.tif 000004
【図４】
0004226112.tif 000005